(57)【要約】【課題】  ページ上に配置されているオブジェクトに対して禁止する変更内容を、該オブジェクトがデータベースに登録されている情報が配置されるオブジェクトであるか否かに応じて一括で設定するための技術を提供すること。【解決手段】  ページ上に配置されている第１のオブジェクトに対する第１の変更を禁止する設定と、ページ上に配置されている第２のオブジェクトに対する第２の変更を禁止する設定を一括で行う。第１のオブジェクトは、データベースに登録されている情報が配置されるオブジェクトであり、第２のオブジェクトは、データベースに登録されている情報が配置されないオブジェクトであり、第１の変更は第２の変更よりも範囲が広い。【選択図】  図５
2020098495.tif 000002
【特許請求の範囲】
【請求項１】
ページ上に配置されている第１のオブジェクトに対する第１の変更を禁止する設定を行う第１の設定手段と、
ページ上に配置されている第２のオブジェクトに対する第２の変更を禁止する設定を行う第２の設定手段と、
前記第１の設定手段による設定および前記第２の設定手段による設定を一括で行う実行手段と
を備え、
前記第１のオブジェクトは、データベースに登録されている情報が配置されるオブジェクトであり、
前記第２のオブジェクトは、データベースに登録されている情報が配置されないオブジェクトであり、
前記第１の変更は前記第２の変更よりも範囲が広い
ことを特徴とする情報処理装置。
【請求項２】
更に、
前記第１のオブジェクトおよび前記第２のオブジェクトが配置されたページを表示画面に表示させる表示制御手段を備えることを特徴とする請求項１に記載の情報処理装置。
【請求項３】
前記表示制御手段は、前記第１のオブジェクトに対して前記第１の設定手段による設定がなされていることを示す情報、前記第２のオブジェクトに対して前記第２の設定手段による設定がなされていることを示す情報、を前記表示画面に表示させることを特徴とする請求項２に記載の情報処理装置。
【請求項４】
前記表示制御手段は、前記ページのファイルを閉じる指示が入力された場合、前記第１の設定手段による設定および前記第２の設定手段による設定を行うか否かをユーザに問い合わせるための提案画面を前記表示画面に表示することを特徴とする請求項２または３に記載の情報処理装置。
【請求項５】
前記実行手段による前記第１の設定手段による設定および前記第２の設定手段による設定は、前記提案画面において前記第１の設定手段による設定および前記第２の設定手段による設定を行う指示が入力された場合に行われることを特徴とする請求項４に記載の情報処理装置。
【請求項６】
更に、
前記ページの印刷データを生成して印刷装置に対して出力する出力手段を備えることを特徴とする請求項１乃至５の何れか１項に記載の情報処理装置。
【請求項７】
前記第１の変更は、前記第１のオブジェクトに対する全ての変更であることを特徴とする請求項１乃至６の何れか１項に記載の情報処理装置。
【請求項８】
前記第２の変更は、前記第２のオブジェクトの位置の変更、サイズの変更、前記第２のオブジェクトに配置される情報の変更、のうち少なくとも１つを含むことを特徴とする請求項１乃至７の何れか１項に記載の情報処理装置。
【請求項９】
情報処理装置が行う情報処理方法であって、
前記情報処理装置の第１の設定手段が、ページ上に配置されている第１のオブジェクトに対する第１の変更を禁止する設定を行う第１の設定工程と、
前記情報処理装置の第２の設定手段が、ページ上に配置されている第２のオブジェクトに対する第２の変更を禁止する設定を行う第２の設定工程と、
前記情報処理装置の実行手段が、前記第１の設定手段による設定および前記第２の設定手段による設定を一括で行う実行工程と
を備え、
前記第１のオブジェクトは、データベースに登録されている情報が配置されるオブジェクトであり、
前記第２のオブジェクトは、データベースに登録されている情報が配置されないオブジェクトであり、
前記第１の変更は前記第２の変更よりも範囲が広い
ことを特徴とする情報処理方法。
【請求項１０】
コンピュータを、請求項１乃至８の何れか１項に記載の情報処理装置の各手段として機能させるためのコンピュータプログラム。
【発明の詳細な説明】
【技術分野】
【０００１】
本発明は、ページにおけるオブジェクトのレイアウト編集技術に関するものである。
【背景技術】
【０００２】
従来から、印刷データの作成および編集を行うためのアプリケーションプログラムは、写真、図形、テキストなどの複数のオブジェクトを印刷面上にレイアウトする機能を有している。
【０００３】
このようなアプリケーションプログラムでは、配置済みのオブジェクトを意図せず編集してしまうことがないよう、オブジェクトをロックする機能がある。ロックには、オブジェクトの編集を一切禁止するものもあれば、部分的なロックを行うものもある。例えば、特許文献１では、画像内に吹き出し付きの注釈オブジェクトを付加する際、吹き出しの先端が指し示す位置を円形で指定し、吹き出しの先端が円周上のみを移動するロックを行っている。また、特許文献２では、オブジェクトのサイズ変更可能方向を限定するロックを行っている。
【０００４】
一方、このようなアプリケーションプログラムにおいては、データベースに設定された文字列や画像ファイルのパスをオブジェクトに差し込む、データベース差し込み機能を有しているものがある。
【先行技術文献】
【特許文献】
【０００５】
【特許文献１】特開２０１６−９５８０５号公報
【特許文献２】特開平８−２４１４２１号公報
【発明の概要】
【発明が解決しようとする課題】
【０００６】
印刷用のアプリケーションプログラムには、上記のような複数種類のロック機能と、データベース差し込み機能と、を有しているものがある。データベース差し込みが指定されていないオブジェクトは一度データを保存した後でも、表示内容を変更する可能性があるため不用意にロックすると、編集が不便になる可能性がある。一方、データベース差し込みが指定されているオブジェクトは文字列等の表示内容をデータベースの内容で書き換える用途のため編集画面で表示内容を書き換えることはなく、表示内容のロックを行うことで、間違って編集してしまうことを防ぐことができる。
【０００７】
本発明では、ページ上に配置されているオブジェクトに対して禁止する変更内容を、該オブジェクトがデータベースに登録されている情報が配置されるオブジェクトであるか否かに応じて一括で設定するための技術を提供する。
【課題を解決するための手段】
【０００８】
本発明の１つの様態は、ページ上に配置されている第１のオブジェクトに対する第１の変更を禁止する設定を行う第１の設定手段と、ページ上に配置されている第２のオブジェクトに対する第２の変更を禁止する設定を行う第２の設定手段と、前記第１の設定手段による設定および前記第２の設定手段による設定を一括で行う実行手段とを備え、前記第１のオブジェクトは、データベースに登録されている情報が配置されるオブジェクトであり、前記第２のオブジェクトは、データベースに登録されている情報が配置されないオブジェクトであり、前記第１の変更は前記第２の変更よりも範囲が広いことを特徴とする。
【発明の効果】
【０００９】
本発明の構成によれば、ページ上に配置されているオブジェクトに対して禁止する変更内容を、該オブジェクトがデータベースに登録されている情報が配置されるオブジェクトであるか否かに応じて一括で設定することができる。
【図面の簡単な説明】
【００１０】
【図１】システムの構成例を示すブロック図。
【図２】編集対象のページの表示例を示す図。
【図３】情報処理装置Ａが行う処理のフローチャート。
【図４】ステップＳ３０５における処理の詳細を示すフローチャート。
【図５】ロック提案画面の一例を示す図。
【発明を実施するための形態】
【００１１】
以下、添付図面を参照し、本発明の実施形態について説明する。
【００１２】
［第１の実施形態］
先ず、本実施形態に係るシステムの構成例について、図１のブロック図を用いて説明する。図１に示す如く、本実施形態に係るシステムは、情報処理装置ＡとプリンタＢとを有する。情報処理装置ＡおよびプリンタＢは有線若しくは無線のネットワークに接続されており、情報処理装置ＡおよびプリンタＢはこのネットワークを介して互いにデータ通信を行う。
【００１３】
先ず、情報処理装置Ａについて説明する。情報処理装置Ａは、ＰＣ（パーソナルコンピュータ）、タブレット型端末装置、スマートフォンなどのコンピュータ装置である。
【００１４】
ＣＰＵ１０１は、ＲＡＭ１０２やＲＯＭ１０３に格納されているコンピュータプログラムやデータを用いて各種の処理を実行する。これによりＣＰＵ１０１は、情報処理装置Ａ全体の動作制御を行うと共に、情報処理装置Ａが行うものとして後述する各処理を実行若しくは制御する。
【００１５】
ＲＡＭ１０２は、ＲＯＭ１０３や外部記憶装置１０７からロードされたコンピュータプログラムやデータ、通信ＩＦ（インターフェース）部１０４を介して外部から受信したデータ、を格納するためのエリアを有する。さらにＲＡＭ１０２は、ＣＰＵ１０１が各種の処理を実行する際に用いるワークエリアを有する。このようにＲＡＭ１０２は、各種のエリアを適宜提供することができる。
【００１６】
ＲＯＭ１０３には、情報処理装置Ａの設定データや起動プログラムなどが格納されている。
【００１７】
通信ＩＦ部１０４は、ネットワークを介してプリンタＢとの間のデータ通信を行うためのインターフェースとして機能するものである。
【００１８】
操作部１０５は、キーボード、マウス、タッチパネル画面などのユーザインターフェースであり、ユーザが操作することで各種の指示をＣＰＵ１０１に対して入力することができる。
【００１９】
表示部１０６は、液晶画面やタッチパネル画面などにより構成されており、ＣＰＵ１０１による処理結果を画像や文字などでもって表示することができる。なお表示部１０６は、画像や文字を投影するプロジェクタなどの投影装置であっても良い。
【００２０】
外部記憶装置１０７は、ハードディスクドライブ装置などの大容量情報記憶装置である。外部記憶装置１０７には、ＯＳ（オペレーティングシステム）、情報処理装置Ａが行うものとして後述する各処理をＣＰＵ１０１に実行若しくは制御させるためのコンピュータプログラムやデータが保存されている。外部記憶装置１０７に保存されているコンピュータプログラムには後述する印刷レイアウトアプリケーションが含まれている。また外部記憶装置１０７に保存されているデータには、以下の説明において既知の情報として取り扱うものが含まれている。
【００２１】
外部記憶装置１０７に保存されているコンピュータプログラムやデータは、ＣＰＵ１０１による制御に従って適宜ＲＡＭ１０２にロードされ、ＣＰＵ１０１による処理対象となる。
【００２２】
ＣＰＵ１０１、ＲＡＭ１０２、ＲＯＭ１０３、通信ＩＦ部１０４、操作部１０５、表示部１０６、外部記憶装置１０７は何れもバス１０８に接続されている。
【００２３】
次にプリンタＢについて説明する。プリンタＢは、情報処理装置Ａから送信された印刷データに基づいて画像や文字を紙などの印刷媒体上に記録する印刷装置の一例であり、例えばプリンタＢの代わりに複合機を用いても構わない。
【００２４】
次に、ＣＰＵ１０１が上記の印刷レイアウトアプリケーションを実行したことで表示部１０６の表示画面上に表示されるＧＵＩ（グラフィカルユーザインターフェース）に表示される（表示制御）、編集対象のページの表示例について図２を用いて説明する。図２のページ２０１は、所望の許可証を作成するべくユーザが操作部１０５を用いてＧＵＩを操作してページ２０１上にオブジェクト２０２〜２１２を配置することで作成したものである。
【００２５】
オブジェクト２０２は、許可証の発行元を表すロゴ画像（内容固定）が配置されるオブジェクトである。オブジェクト２０２の近傍（図２では右上）には、該オブジェクト２０２に対する変更のうち該オブジェクト２０２の位置の変更およびサイズの変更のみを禁止する設定（枠のみロック）がなされていることを示すオブジェクト２０２ａが配置されている。
【００２６】
オブジェクト２０３は、許可証の所有者の顔画像が配置されるオブジェクトである。この顔画像は外部記憶装置１０７内のデータベースや、通信ＩＦ部１０４を介して情報処理装置Ａと通信可能に接続されている外部装置内のデータベースなどに登録されており、オブジェクト２０３は、この顔画像のパス（リンク）と顔画像の配置領域とを表すものである。ＣＰＵ１０１は、データベースからオブジェクト２０３が表すパスの顔画像を取得してオブジェクト２０３上に配置する。オブジェクト２０３の近傍（図２では右上）には、該オブジェクト２０３に対する全ての変更を禁止する設定（ロック）がなされていることを示すオブジェクト２０３ａが配置されている。
【００２７】
オブジェクト２０４は、許可証の名称を表す文字列（内容固定）が配置されるオブジェクトである。オブジェクト２０４の近傍（図２では右上）には、該オブジェクト２０４に対する変更のうち該オブジェクト２０４の位置の変更およびサイズの変更のみを禁止する設定（枠のみロック）がなされていることを示すオブジェクト２０４ａが配置されている。
【００２８】
オブジェクト２０５は、「許可番号」という文字列（内容固定）が配置されるオブジェクトである。オブジェクト２０５の近傍（図２では右上）には、該オブジェクト２０５に対する変更のうち該オブジェクト２０５の位置の変更およびサイズの変更のみを禁止する設定（枠のみロック）がなされていることを示すオブジェクト２０５ａが配置されている。
【００２９】
オブジェクト２０６は、許可証の所有者の許可番号を表す文字列が配置されるオブジェクトである。許可番号を表す文字列は外部記憶装置１０７内のデータベースや、通信ＩＦ部１０４を介して情報処理装置Ａと通信可能に接続されている外部装置内のデータベースなどに登録されており、オブジェクト２０６は、許可番号を表す文字列のパス（リンク）と許可番号を表す文字列の配置領域とを表すものである。ＣＰＵ１０１は、データベースからオブジェクト２０６が表すパスの許可番号を表す文字列を取得してオブジェクト２０６上に配置する。オブジェクト２０６の近傍（図２では右上）には、該オブジェクト２０６に対する全ての変更を禁止する設定（ロック）がなされていることを示すオブジェクト２０６ａが配置されている。
【００３０】
オブジェクト２０７は、「氏名」という文字列（内容固定）が配置されるオブジェクトである。オブジェクト２０７の近傍（図２では右上）には、該オブジェクト２０７に対する変更のうち該オブジェクト２０７の位置の変更およびサイズの変更のみを禁止する設定（枠のみロック）がなされていることを示すオブジェクト２０７ａが配置されている。
【００３１】
オブジェクト２０８は、許可証の所有者の氏名を表す文字列が配置されるオブジェクトである。氏名を表す文字列は外部記憶装置１０７内のデータベースや、通信ＩＦ部１０４を介して情報処理装置Ａと通信可能に接続されている外部装置内のデータベースなどに登録されており、オブジェクト２０８は、氏名を表す文字列のパス（リンク）と氏名を表す文字列の配置領域とを表すものである。ＣＰＵ１０１は、データベースからオブジェクト２０８が表すパスの氏名を表す文字列を取得してオブジェクト２０８上に配置する。オブジェクト２０８の近傍（図２では右上）には、該オブジェクト２０８に対する全ての変更を禁止する設定（ロック）がなされていることを示すオブジェクト２０８ａが配置されている。
【００３２】
オブジェクト２０９は、「住所」という文字列（内容固定）が配置されるオブジェクトである。オブジェクト２０９の近傍（図２では右上）には、該オブジェクト２０９に対する変更のうち該オブジェクト２０９の位置の変更およびサイズの変更のみを禁止する設定（枠のみロック）がなされていることを示すオブジェクト２０９ａが配置されている。
【００３３】
オブジェクト２１０は、許可証の所有者の住所を表す文字列が配置されるオブジェクトである。住所を表す文字列は外部記憶装置１０７内のデータベースや、通信ＩＦ部１０４を介して情報処理装置Ａと通信可能に接続されている外部装置内のデータベースなどに登録されており、オブジェクト２１０は、住所を表す文字列のパス（リンク）と住所を表す文字列の配置領域とを表すものである。ＣＰＵ１０１は、データベースからオブジェクト２１０が表すパスの住所を表す文字列を取得してオブジェクト２１０上に配置する。オブジェクト２１０の近傍（図２では右上）には、該オブジェクト２１０に対する全ての変更を禁止する設定（ロック）がなされていることを示すオブジェクト２１０ａが配置されている。
【００３４】
オブジェクト２１１は、「備考」という文字列（内容固定）が配置されるオブジェクトである。オブジェクト２１１の近傍（図２では右上）には、該オブジェクト２１１に対する変更のうち該オブジェクト２１１の位置の変更およびサイズの変更のみを禁止する設定（枠のみロック）がなされていることを示すオブジェクト２１１ａが配置されている。
【００３５】
オブジェクト２１２は、ユーザが操作部１０５を操作して文字列を入力することができるオブジェクトである。オブジェクト２１２の近傍（図２では右上）には、該オブジェクト２１２に対する変更のうち該オブジェクト２１２の位置の変更およびサイズの変更のみを禁止する設定（枠のみロック）がなされていることを示すオブジェクト２１２ａが配置されている。
【００３６】
なお、ユーザは操作部１０５を操作して上記のオブジェクト２０２〜２１２のそれぞれのロック設定（「ロック」、「枠のみロック」）を適宜変更することができる。例えばユーザが操作部１０５としてのマウスを操作してオブジェクト２０２ａをクリックする度に、オブジェクト２０２のロック設定として「枠のみロック」、「ロック」が交互に変更される。また、ロック設定の変更には、全ての変更操作を許可する「ロック解除」への変更を含めても良い。
【００３７】
なお、オブジェクト２０３，２０６，２０８，２１０に対して「ロック」が設定されていても、これはオブジェクト２０３，２０６，２０８，２１０に対する設定であって、これらのオブジェクトに配置される情報（顔画像、許可番号、氏名、住所）に対する設定ではない。つまり、オブジェクト２０３，２０６，２０８，２１０に対して「ロック」が設定されていても、これらのオブジェクトに配置される情報（顔画像、許可番号、氏名、住所）は情報処理装置Ａや外部装置において適宜編集可能である。
【００３８】
また、オブジェクト２０２，２０４，２０５，２０７，２０９，２１１，２１２は、外部記憶装置１０７内のデータベースや、通信ＩＦ部１０４を介して情報処理装置Ａと通信可能に接続されている外部装置内のデータベースなどに登録されている情報を配置するオブジェクトではない。
【００３９】
以下では、「外部記憶装置１０７内のデータベースや、通信ＩＦ部１０４を介して情報処理装置Ａと通信可能に接続されている外部装置内のデータベースなどに登録されている情報を配置するオブジェクト」を「差し込みオブジェクト」と称する場合がある。また以下では、「外部記憶装置１０７内のデータベースや、通信ＩＦ部１０４を介して情報処理装置Ａと通信可能に接続されている外部装置内のデータベースなどに登録されている情報を配置しないオブジェクト」を「その他のオブジェクト」と称する場合がある。
【００４０】
また、「枠のみロック」ではオブジェクトの位置およびサイズのみ変更を禁止しているが、「枠のみロック」にて禁止している変更対象はこれに限らない。例えば、「枠のみロック」では、オブジェクトの位置、サイズ、該オブジェクトに配置される情報（例えば文字列のフォントサイズ）、のうち少なくとも１つのみ変更を禁止するようにしても良い。なお、「ロック」にて禁止している変更は「枠のみロック」にて禁止している変更よりも範囲が広い。
【００４１】
このように、ページ２０１上におけるオブジェクト２０２〜２１２の何れも誤操作による位置やサイズのずれが防げる。また、オブジェクト２０３，２０６，２０８，２１０については、該オブジェクトに対する直接入力によってデータベースと連動しない状態になってしまうことを防げる。
【００４２】
次に、情報処理装置Ａが行う処理について、図３のフローチャートに従って説明する。
【００４３】
ステップＳ３０１ではＣＰＵ１０１は、ロック提案フラグをＯＦＦに初期化する。
【００４４】
ステップＳ３０２ではＣＰＵ１０１は、上記のＧＵＩにおいてページの作成を終了して該ページのファイルを外部記憶装置１０７に保存する指示（ページのファイルを閉じる指示）を、ユーザが操作部１０５を操作して入力したか否かを判断する。この判断の結果、ページのファイルを閉じる指示が入力された場合には、処理はステップＳ３０３に進み、ページのファイルを閉じる指示が入力されていない場合には、処理はステップＳ３０４に進む。
【００４５】
ステップＳ３０３ではＣＰＵ１０１は、ロック提案フラグがＯＮであるか否かを判断する。この判断の結果、ロック提案フラグがＯＮであれば、処理はステップＳ３０５に進む。一方、ロック提案フラグがＯＦＦであれば、ＣＰＵ１０１は上記のＧＵＩにおいて作成したページのファイルを外部記憶装置１０７に保存して図３のフローチャートに従った処理は終了する。ステップＳ３０５における処理の詳細については後述する。
【００４６】
ステップＳ３０４ではＣＰＵ１０１は、ユーザが操作部１０５を操作して、ページ上に新たにオブジェクトを追加する操作を行ったか否かを判断する。この判断の結果、ページ上に新たにオブジェクトを追加する操作を行った場合には、処理はステップＳ３０６に進み、ページ上に新たにオブジェクトを追加する操作を行っていない場合には、処理はステップＳ３０７に進む。
【００４７】
ステップＳ３０６ではＣＰＵ１０１は、ロック提案フラグをＯＮに設定する。
【００４８】
ステップＳ３０７ではＣＰＵ１０１は、ユーザが操作部１０５を操作して、ページ上に配置済みのオブジェクトに対する変更操作（該オブジェクトに配置される情報の変更操作、該オブジェクトのロック設定の変更操作など）を行ったか否かを判断する。ページ上に配置済みのオブジェクトに対する変更操作を行った場合には、処理はステップＳ３０８に進み、ページ上に配置済みのオブジェクトに対する変更操作を行っていない場合には、処理はステップＳ３０２に進む。例えばユーザが操作部１０５を操作してページのファイルを外部記憶装置１０７に保存させる指示を入力したり、ページ上に配置済みのオブジェクトのうちユーザが操作部１０５を操作して選択した選択オブジェクトを削除する指示を入力した場合には、ステップＳ３０７では、「ページ上に配置済みのオブジェクトに対する変更操作を行っていない」と判断され、処理はステップＳ３０２に進む。
【００４９】
ステップＳ３０８ではＣＰＵ１０１は、ページ上に配置済みのオブジェクトに対する変更操作が、該オブジェクトのロック設定の変更操作であるか否かを判断する。この判断の結果、ページ上に配置済みのオブジェクトに対する変更操作が、該オブジェクトのロック設定の変更操作である場合には、処理はステップＳ３０２に進み、ページ上に配置済みのオブジェクトに対する変更操作が、該オブジェクトのロック設定の変更操作ではない場合には、処理はステップＳ３０９に進む。
【００５０】
ステップＳ３０９ではＣＰＵ１０１は、ロック提案フラグをＯＮに設定する。
【００５１】
次に、上記のステップＳ３０５における処理（ロック提案・実行）の詳細について、図４のフローチャートに従って説明する。
【００５２】
ステップＳ４０１ではＣＰＵ１０１は、差し込みオブジェクトのロック設定を「ロック」、その他のオブジェクトのロック設定を「枠のみロック」とする（差し込みオブジェクトのロック設定およびその他のオブジェクトのロック設定を一括で行う）ことをユーザに提案するためのロック提案画面を表示部１０６の表示画面に表示させる。ロック提案画面の一例を図５に示す。
【００５３】
図５のロック提案画面には、差し込みオブジェクトのロック設定を「ロック」、その他のオブジェクトのロック設定を「枠のみロック」とすることをユーザに提案する文章と共に、差し込みオブジェクトのロック設定を「ロック」、その他のオブジェクトのロック設定を「枠のみロック」としてからページのファイルを外部記憶装置１０７に保存しても良いか否かをユーザに問い合わせるためのボタン５０１，５０２が配置されている。
【００５４】
ステップＳ４０２ではＣＰＵ１０１は、ユーザが操作部１０５を操作してボタン５０１およびボタン５０２の何れかを指示したのか否かを判断する。この判断の結果、ボタン５０１が指示された場合には、処理はステップＳ４０３に進み、ボタン５０２が指示された場合には、図３，４のフローチャートに従った処理は終了する。
【００５５】
ステップＳ４０３ではＣＰＵ１０１は、差し込みオブジェクトのロック設定を「ロック」に設定する。
【００５６】
ステップＳ４０４ではＣＰＵ１０１は、その他のオブジェクトのロック設定を「枠のみロック」に設定する。
【００５７】
ステップＳ４０５ではＣＰＵ１０１は、ページのファイルを外部記憶装置１０７に保存する。このときＣＰＵ１０１は、各オブジェクトに対するロック設定も外部記憶装置１０７に保存する。
【００５８】
なお、ユーザが操作部１０５を操作してページの印刷指示を入力した場合には、ＣＰＵ１０１は、ページのファイルから印刷データを生成し、該印刷データを印刷指示と共にプリンタＢに対して出力する。
【００５９】
なお、図５に示したロック提案画面は一例であり、差し込みオブジェクトのロック設定を「ロック」、その他のオブジェクトのロック設定を「枠のみロック」とするか否かをユーザに選択させるための画面であれば良い。
【００６０】
［第２の実施形態］
図５のロック提案画面の構成やその操作方法は一例であり、第１の実施形態で説明した内容に限定することを意図したものではない。また、図４のフローチャートに従った処理は、ページのファイルを閉じる指示が入力される度に行うようにしても良い。また、以上説明した実施形態の一部を適宜組み合わせて使用しても構わないし、選択的に使用しても構わない。
【符号の説明】
【００６１】
１０１：ＣＰＵ  １０２：ＲＡＭ  １０３：ＲＯＭ  １０４：通信ＩＦ部  １０５：操作部  １０６：表示部  １０７：外部記憶装置  １０８：バス
【図１】
2020098495.tif 000003
【図２】
2020098495.tif 000004
【図３】
2020098495.tif 000005
【図４】
2020098495.tif 000006
【図５】
2020098495.tif 000007